(57)【特許請求の範囲】
【請求項１】
住戸人が使用する親機と、来訪者が使用する子機と、入力された前記住戸人の音声信号の周波数を変えて音声変換する音声変換手段と、前記親機および前記子機の通話状態を検出する通話状態検出手段と、前記住戸人の原音の音声信号および前記音声変換手段により音声変換された前記住戸人の変換音声信号の何れかを選択する原音変換音声選択手段と、前記通話状態に基づいて前記原音変換音声選択手段を制御する音声変換制御手段とを備え、前記親機が、前記住戸人の音声を集音し音声信号に変換する親機マイクロホンと、前記来訪者の音声信号を出力する親機スピーカと、前記住戸人が前記来訪者と通話をするか否かを選択する通話スイッチと、前記住戸人が音声変換が可能な状態にするか否かを選択する音声変換スイッチとを備え、前記子機が、前記来訪者の音声を集音し音声信号に変換する子機マイクロホンと、前記原音変換音声選択手段により選択された前記住戸人の音声信号を出力する子機スピーカと、前記来訪者が前記住戸人を呼び出す呼出スイッチとを備え、前記音声変換制御手段が、前記通話状態に基づいて前記住戸人の原音の音声信号および前記住戸人の変換音声信号の何れかを選択し、更に、前記音声変換スイッチにより前記住戸人が前記来訪者と通話をするか否かを選択するようにしたことを特徴とするインターホンシステム。
【請求項２】
住戸人が使用する親機と、来訪者が使用する子機と、入力された前記住戸人の音声信号の周波数を変えて音声変換する音声変換手段と、前記親機および前記子機の通話状態を検出する通話状態検出手段と、前記住戸人の原音の音声信号および前記音声変換手段により音声変換された前記住戸人の変換音声信号の何れかを選択する原音変換音声選択手段と、前記通話状態に基づいて前記原音変換音声選択手段を制御する音声変換制御手段とを備え、前記親機が、前記住戸人の音声を集音し音声信号に変換する親機マイクロホンと、前記来訪者の音声信号を出力する親機スピーカと、前記住戸人が前記来訪者と通話をするか否かを選択する通話スイッチと、前記住戸人が音声変換が可能な状態にするか否かを選択する音声変換スイッチとを備え、前記子機が、前記来訪者の音声を集音し音声信号に変換する子機マイクロホンと、前記原音変換音声選択手段により選択された前記住戸人の音声信号を出力する子機スピーカと、前記来訪者が前記住戸人を呼び出す呼出スイッチとを備え、前記音声変換制御手段が、前記通話状態検出手段により待機中の待機状態を検出したときには、原音音声出力状態を選択するよう前記原音変換音声選択手段を制御することを特徴とするインターホンシステム。
【発明の詳細な説明】
【０００１】
【発明の属する技術分野】
本発明は、インターホンシステムに関し、さらに詳しくは、住戸人の音声メッセージを音声変換して来訪者に伝達する音声変換機能を有するインターホンシステムに関するものである。
【０００２】
【従来の技術】
従来の音声変換機能を有するインターホンシステムとしては、特開平７−９９５４６号公報等に開示されているようなものが知られている。このような従来のインターホンシステムは、図８に示すように構成されている。図８に示された従来のインターホンシステムは、親機１と子機２とで構成されており、親機１は、住戸人の音声を集音し音声信号に変換する親機マイクロホン３と、来訪者の声を出力する親機スピーカ４と、親機マイクロホン３で集音された住戸人の音声を音声変換する音声変換回路５と、親機マイクロホン３から出力された音声信号および音声変換された音声信号の何れかを選択する信号選択回路７と、音声変換された音声信号を選択する音声変換スイッチ６と、親機１および子機２の通話の制御を行う制御回路８とで構成されている。また、子機２は、来訪者が住戸人を呼び出す呼出スイッチ９と、来訪者の音声を集音し音声信号に変換する子機マイクロホン１０と、住戸人の音声を出力する子機スピーカ１１とで構成されている。
【０００３】
次に、従来のインターホンシステムの動作について説明する。まず、来訪者が住戸人を呼び出すために子機の呼出スイッチ９を押すと、親機１の親機スピーカ４から呼出音が発生する。次いで、住戸人は音声変換スイッチ６を押し、音声変換回路５を動作させて親機マイクロホン３により応答する。ここで、音声変換回路５を動作させることにより、子機スピーカ１１からは音声変換された住戸人の音声が出力される。例えば、住戸人が女性である場合でも、親機マイクロホン３で集音された女性の音声の周波数を音声変換回路５により低い周波数に変換した場合は男性の声で応答することができる。次いで、来訪者の応答の音声、例えば、「イロハ商品を販売に参りました」というメッセージが子機マイクロホン１０で集音され親機スピーカ４から出力される。この来訪者の応答の内容により、住戸人は面会するか否かを決定し、面会したくない場合は親機マイクロホン３により、例えば、「間に合っています」というメッセージを音声変換回路５により音声変換された音声で応答する。
【０００４】
以上のように、従来のインターホンシステムでも、住戸人の音声を音声変換回路５により音声変換させる音声変換回路を動作させることにより、面会したくない来訪者を撃退することができた。
【０００５】
【発明が解決しようとする課題】
しかしながら、このような従来のインターホンシステムでは、住戸人は音声変換回路が動作しているか否かが確認できず、来訪者に対して適切な応対ができないという問題があった。例えば、音声変換回路を動作させて通話した後に、音声変換回路を停止させるのを忘れ、次の来訪者が音声変換回路を動作させる必要がない知人の場合でも、音声変換回路の動作中のまま通話を行うという問題があった。また、前述の従来のインターホンシステムでは、通話の途中でも音声変換回路の動作を停止させることができるので、住戸人が面会したくない来訪者との通話の途中で音声変換回路の動作を誤って停止させてしまうという問題があった。
【０００６】
本発明は、このような問題を解決するためになされたものであり、音声変換回路が動作しているか否かを住戸人が容易に確認でき、また、住戸人が誤った操作で音声変換回路を動作または停止することを防止できる操作性の優れたインターホンシステムを提供するものである。
【０００７】
【課題を解決するための手段】
本発明のインターホンシステムは、住戸人が使用する親機と、来訪者が使用する子機と、入力された前記住戸人の音声信号の周波数を変えて音声変換する音声変換手段と、前記親機および前記子機の通話状態を検出する通話状態検出手段と、前記住戸人の原音の音声信号および前記音声変換手段により音声変換された前記住戸人の変換音声信号の何れかを選択する原音変換音声選択手段と、前記通話状態に基づいて前記原音変換音声選択手段を制御する音声変換制御手段とを備え、前記親機が、前記住戸人の音声を集音し音声信号に変換する親機マイクロホンと、前記来訪者の音声信号を出力する親機スピーカと、前記住戸人が前記来訪者と通話をするか否かを選択する通話スイッチと、前記住戸人が音声変換が可能な状態にするか否かを選択する音声変換スイッチとを備え、前記子機が、前記来訪者の音声を集音し音声信号に変換する子機マイクロホンと、前記原音変換音声選択手段により選択された前記住戸人の音声信号を出力する子機スピーカと、前記来訪者が前記住戸人を呼び出す呼出スイッチとを備え、前記音声変換制御手段が、前記通話状態に基づいて前記住戸人の原音の音声信号および前記住戸人の変換音声信号の何れかを選択し、更に、前記音声変換スイッチにより前記住戸人が前記来訪者と通話をするか否かを選択する構成を有している。
【０００８】
この構成により、前記住戸人が前記来訪者と通話をするか否かが前記通話スイッチに加えて、前記音声変換スイッチにより選択されることとなる。
【０００９】
また、本発明のインターホンシステムは、住戸人が使用する親機と、来訪者が使用する子機と、入力された前記住戸人の音声信号の周波数を変えて音声変換する音声変換手段と、前記親機および前記子機の通話状態を検出する通話状態検出手段と、前記住戸人の原音の音声信号および前記音声変換手段により音声変換された前記住戸人の変換音声信号の何れかを選択する原音変換音声選択手段と、前記通話状態に基づいて前記原音変換音声選択手段を制御する音声変換制御手段とを備え、前記親機が、前記住戸人の音声を集音し音声信号に変換する親機マイクロホンと、前記来訪者の音声信号を出力する親機スピーカと、前記住戸人が前記来訪者と通話をするか否かを選択する通話スイッチと、前記住戸人が音声変換が可能な状態にするか否かを選択する音声変換スイッチとを備え、前記子機が、前記来訪者の音声を集音し音声信号に変換する子機マイクロホンと、前記原音変換音声選択手段により選択された前記住戸人の音声信号を出力する子機スピーカと、前記来訪者が前記住戸人を呼び出す呼出スイッチとを備え、前記音声変換制御手段が、前記通話状態検出手段により待機中の待機状態を検出したときには、原音音声出力状態を選択するよう前記原音変換音声選択手段を制御する構成を有している。この構成により、前記待機状態を検出したときには、原音音声出力状態が選択されることとなる。
【００２９】
この構成により、前記音声変換制御手順において、前記通話状態に基づいて前記住戸人の原音の音声信号および前記住戸人の変換音声信号の何れかが選択されることとなる。
【００３０】
【発明の実施の形態】
以下、本発明の実施の形態について、図面を参照して説明する。
【００３１】
（第１の実施の形態）
図１は、本発明の第１の実施の形態のインターホンシステムのブロック図である。図１に示すように、本実施の形態のインターホンシステムは、住戸人が使用する親機１０１が、入力された住戸人の音声信号の周波数を変えて音声変換する音声変換手段１０３と、住戸人および来訪者の通話状態を検出する通話状態検出手段１０４と、住戸人の原音の音声信号および音声変換手段１０３により音声変換された住戸人の変換音声信号の何れかを選択する原音変換音声選択手段１０５と、通話状態に基づいて原音変換音声選択手段１０５を制御する音声変換制御手段１０６と、住戸人の音声を集音し音声信号に変換する親機マイクロホン１０７と、来訪者の音声信号を出力する親機スピーカ１０８と、住戸人が来訪者と通話をするか否かを選択する通話スイッチ１０９と、住戸人が音声変換が可能な状態にするか否かを選択する音声変換スイッチ１１０と、親機１０１と子機１０２との通話を制御する通話制御手段１１１と、原音音声出力状態および変換音声出力状態の何れかを表示する音声変換動作表示手段１１２とを備え、来訪者が使用する子機１０２が、来訪者の音声を集音し音声信号に変換する子機マイクロホン１１３と、原音変換音声選択手段１０５により選択された住戸人の音声信号を出力する子機スピーカ１１４と、来訪者が住戸人を呼び出す呼出スイッチ１１５とを備えている。
【００３２】
なお、前述の通話制御手段１１１は、親機１０１および子機１０２に備えられた各スイッチの状態を検出して、通話制御手段１１１に接続された機器および手段を制御するようになっている。例えば、来訪者により呼出スイッチ１１５がオンにされた場合は、前述の通話制御手段１１１により、親機スピーカ１０８から呼出音が出力されるようになっている。また、前述の通話制御手段１１１は、状態情報を通話状態検出手段１０４に出力するようになっている。ここで、状態情報とは、通話制御手段１１１により取得された各スイッチの状態情報、音声変換動作表示手段１１２の状態情報、親機マイクロホン１０７および子機マイクロホン１１３からの音声信号の状態情報、親機スピーカ１０８および子機スピーカ１１４の音声信号の状態情報等をいう。
【００３３】
また、前述の通話状態検出手段１０４は、前述の通話制御手段１１１からの状態情報に基づいて通話状態を検出するようになっている。ここで通話状態とは、例えば、待機中の待機状態、来訪者が呼出スイッチ１１５により住戸人を呼び出した着信状態、来訪者および住戸人が通話をしている通話状態、来訪者および住戸人の通話が終了した通話終了状態、住戸人の原音の音声が子機スピーカ１１４から出力されている原音音声出力状態および住戸人の変換音声信号が子機スピーカ１１４から出力されている変換音声出力状態等をいう。
【００３４】
ここで、前述の通話状態検出手段１０４が通話状態を検出する具体例を説明する。親機１０１および子機１０２に備えられた各スイッチがオフの状態の場合は、通話状態検出手段１０４が、通話制御手段１１１からの状態情報により、待機状態にあると判断するようになっている。また、呼出スイッチ１１５がオンにされれば、通話状態検出手段１０４が、通話制御手段１１１からの状態情報により、着信状態にあると判断するようになっている。さらに、通話スイッチ１０９がオンにされれば、通話状態検出手段１０４が、通話制御手段１１１からの状態情報により、通話状態にあると判断するようになっている。以上のように、通話状態検出手段１０４は通話制御手段１１１からの状態情報により通話状態を検出し、音声変換制御手段１０６に出力するようになっている。また、前述の音声変換制御手段１０６は、通話状態検出手段１０４で検出された通話状態に基づいて原音変換音声選択手段１０５を後述のように制御するようになっている。
【００３５】
また、前述の音声変換動作表示手段１１２は、ランプによる表示、文字による表示、音声による表示等により原音音声出力状態または変換音声出力状態を表示するようになっている。例えば、ランプによる表示の場合は、ランプの色の変化や点滅等により、または、電源ランプまたは通話ランプ等を備えて色の変化や点滅等により、変換音声出力状態であることを住戸人に知らせることができる。また、文字による表示の場合は、親機１０１にメッセージを表示させる構成とすることにより、変換音声出力状態であることを住戸人に知らせることができる。また、音声による表示の場合は、前述の親機スピーカ１０８から信号音またはメッセージを出力することにより、変換音声出力状態であることを住戸人に知らせることができる。
【００３６】
次に、本実施の形態の動作について、図１および図２を参照して説明する。図２は、本実施の形態の音声変換制御工程のフローチャートである。まず、ステップＳ２０１において、前述の音声変換制御手段１０６により、前述の原音音声出力状態を選択するよう原音変換音声選択手段１０５が制御される。ここで、原音音声出力状態にするとは、住戸人の原音の音声信号が原音変換音声選択手段１０５により選択されることをいう。次いで、ステップＳ２０２において、前述の音声変換動作表示手段１１２により、原音音声出力状態が表示される。次いで、ステップＳ２０３において、呼出スイッチ１１５がオンにされたか否かが前述の通話状態検出手段１０４により判断される。呼出スイッチ１１５がオンにされた場合はステップＳ２０４に進み、呼出スイッチ１１５がオンにされていない場合はステップＳ２０５に進む。次いで、ステップＳ２０４において、音声変換スイッチ１１０がオンにされたか否かが前述の通話状態検出手段１０４により判断される。音声変換スイッチ１１０がオンにされた場合はステップＳ２０６に進み、音声変換スイッチ１１０がオンにされていない場合はステップＳ２０８に進む。次いで、ステップＳ２０６において、音声変換制御手段１０６により、変換音声出力状態を選択するよう原音変換音声選択手段１０５が制御される。ここで、変換音声出力状態にするとは、音声変換手段１０３により音声変換された住戸人の音声信号が原音変換音声選択手段１０５により選択されることをいう。次いで、ステップＳ２０７において、音声変換動作表示手段１１２により、変換音声出力状態が表示される。次いで、ステップＳ２０８において、通話スイッチ１０９がオンにされたか否かが通話状態検出手段１０４により判断される。通話スイッチ１０９がオンにされた場合はステップＳ２０９に進み、通話スイッチ１０９がオンにされていない場合はステップＳ２０８に戻る。次いで、ステップＳ２０９において、通話が終了したか否かが通話状態検出手段１０４により判断される。通話が終了したと判断された場合は、ステップＳ２１０に進み、通話が終了していないと判断された場合は、ステップＳ２０９に戻る。ここで、通話の終了の判断は、例えば、通話スイッチ１０９がオンからオフになったときを通話の終了と判断するか、または、親機マイクロホン１０７および子機マイクロホン１１３からの音声信号の有無を検出し、予め設定された時間内にどちらかの音声信号があれば通話中と判断し、予め設定された時間内にどちらの音声信号もなければ通話の終了と判断することができる。
【００３７】
次いで、ステップＳ２１０において、変換音声出力状態で通話をした場合は、音声変換制御手段１０６により、原音音声出力状態を選択するよう原音変換音声選択手段１０５が制御される。また、原音音声出力状態で通話をした場合は、音声変換制御手段１０６により、原音音声出力状態を維持するよう原音変換音声選択手段１０５が制御される。次いで、ステップＳ２１１において、音声変換動作表示手段１１２により、原音音声出力状態が表示される。
【００３８】
一方、前述のステップＳ２０３において、呼出スイッチ１１５がオンにされていない場合は、ステップＳ２０５において、音声変換スイッチ１１０がオンにされたか否かが通話状態検出手段１０４により判断される。音声変換スイッチ１１０がオンにされた場合は、ステップＳ２０１に戻り、音声変換スイッチ１１０がオンにされていない場合は、ステップＳ２０３に戻る。
【００３９】
ここで、前述したステップと通話状態との関連を説明する。図２に示したステップＳ２０１からステップＳ２０５を経由してステップＳ２０１に戻るループと、ステップＳ２０３からステップＳ２０５を経由してステップＳ２０３まで戻るループは、共に前述の待機状態を表している。また、ステップＳ２０３において呼出スイッチ１１５がオンにされた状態は、前述の着信状態を表している。また、ステップＳ２０８において通話スイッチ１０９がオンにされ、ステップＳ２０９において通話の終了が検出されるまでは前述の通話状態を表している。
【００４０】
また、前述のステップＳ２０３、ステップＳ２０４、ステップＳ２０５、ステップＳ２０８およびステップＳ２０９は、通話状態検出手順を表している。また、ステップＳ２０１、ステップＳ２０６およびステップＳ２１０は、原音変換音声選択手順を表している。また、ステップＳ２０２、ステップＳ２０７およびステップＳ２１１は、音声変換動作表示手順を表している。
【００４１】
なお、変換音声出力状態で前述の音声変換スイッチ１１０をオフにし、通話の途中で原音音声出力状態にする構成にしてもよい。
【００４２】
また、前述の音声変換制御工程をプログラミングすることにより、コンピュータに音声変換制御を実行させることができる。
【００４３】
以上のように、本実施の形態のインターホンシステムによれば、音声変換動作表示手段１１２が、変換音声出力状態および原音音声出力状態の何れかを表示し、また、音声変換制御手段１０６が、通話状態に基づいて住戸人の原音の音声信号および前記住戸人の変換音声信号の何れかを選択するよう原音変換音声選択手段１０５を制御する構成としたので、住戸人は容易に音声変換状態を確認することができ、また、原音音声出力状態で誤って音声変換スイッチ１１０をオンにした場合でも、原音音声出力状態を維持することができる。
【００４４】
（第２の実施の形態）
図３は、本発明の第２の実施の形態のインターホンシステムのブロック図である。図３に示すように、本実施の形態のインターホンシステムは、住戸人が使用する親機１０１が、入力された住戸人の音声信号の周波数を変えて音声変換する音声変換手段１０３と、住戸人および来訪者の通話状態を検出する通話状態検出手段１０４と、住戸人の原音の音声信号および音声変換手段１０３により音声変換された住戸人の変換音声信号の何れかを選択する原音変換音声選択手段１０５と、通話状態に基づいて原音変換音声選択手段１０５を制御する音声変換制御手段１０６と、住戸人の音声を集音し音声信号に変換する親機マイクロホン１０７と、来訪者の音声信号を出力する親機スピーカ１０８と、住戸人が来訪者と通話をするか否かを選択する通話スイッチ１０９と、住戸人が音声変換が可能な状態にするか否かを選択する音声変換スイッチ１１０と、親機１０１と子機１０２との通話を制御する通話制御手段１１１と、原音音声出力状態および変換音声出力状態の何れかを表示する音声変換動作表示手段１１２と、住戸人が音声変換が可能な状態にするか否かの選択および住戸人が来訪者と通話をするか否かの選択の何れかを選択する音声変換通話スイッチ１１６と、予めメッセージを記憶する音声信号記憶手段１１７と、親機マイクロホン１０７および音声信号記憶手段１１７の何れかを選択する音声信号選択手段１１８とを備え、来訪者が使用する子機１０２が、来訪者の音声を集音し音声信号に変換する子機マイクロホン１１３と、原音変換音声選択手段１０５により選択された住戸人の音声信号を出力する子機スピーカ１１４と、来訪者が住戸人を呼び出す呼出スイッチ１１５とを備えている。
【００４５】
なお、前述の通話制御手段１１１は、親機１０１および子機１０２に備えられた各スイッチの状態を検出して、通話制御手段１１１に接続された機器および手段を制御するようになっている。例えば、来訪者により呼出スイッチ１１５がオンにされた場合は、前述の通話制御手段１１１により、親機スピーカ１０８から呼出音が出力されるようになっている。また、前述の通話制御手段１１１は、状態情報を通話状態検出手段１０４に出力するようになっている。ここで、状態情報とは、通話制御手段１１１により取得された各スイッチの状態情報、音声変換動作表示手段１１２の状態情報、親機マイクロホン１０７および子機マイクロホン１１３からの音声信号の状態情報、親機スピーカ１０８および子機スピーカ１１４の音声信号の状態情報等をいう。
【００４６】
また、前述の通話状態検出手段１０４は、前述の通話制御手段１１１からの状態情報に基づいて通話状態を検出するようになっている。ここで通話状態とは、例えば、待機中の待機状態、来訪者が呼出スイッチ１１５により住戸人を呼び出した着信状態、来訪者および住戸人が通話をしている通話状態、来訪者および住戸人の通話が終了した通話終了状態、住戸人の原音の音声が子機スピーカ１１４から出力されている原音音声出力状態および住戸人の変換音声信号が子機スピーカ１１４から出力されている変換音声出力状態等をいう。
【００４７】
ここで、前述の通話状態検出手段１０４が通話状態を検出する具体例を説明する。親機１０１および子機１０２に備えられた各スイッチがオフの状態の場合は、通話状態検出手段１０４が、通話制御手段１１１からの状態情報により、待機状態にあると判断するようになっている。また、呼出スイッチ１１５がオンにされれば、通話状態検出手段１０４が、通話制御手段１１１からの状態情報により、着信状態にあると判断するようになっている。さらに、通話スイッチ１０９または音声変換通話スイッチ１１６がオンにされれば、通話状態検出手段１０４が、通話制御手段１１１からの状態情報により、通話状態にあると判断するようになっている。以上のように、通話状態検出手段１０４は通話制御手段１１１からの状態情報により通話状態を検出し、音声変換制御手段１０６に出力するようになっている。また、前述の音声変換制御手段１０６は、通話状態検出手段１０４で検出された通話状態に基づいて原音変換音声選択手段１０５を後述のように制御するようになっている。
【００４８】
また、前述の音声変換動作表示手段１１２は、ランプによる表示、文字による表示、音声による表示等により原音音声出力状態または変換音声出力状態を表示するようになっている。例えば、ランプによる表示の場合は、ランプの色の変化や点滅等により、または、電源ランプまたは通話ランプ等を備えて色の変化や点滅等により、変換音声出力状態であることを住戸人に知らせることができる。また、文字による表示の場合は、親機１０１にメッセージを表示させる構成とすることにより、変換音声出力状態であることを住戸人に知らせることができる。また、音声による表示の場合は、前述の親機スピーカ１０８から信号音またはメッセージを出力することにより、変換音声出力状態であることを住戸人に知らせることができる。
【００４９】
次に、本実施の形態の動作について、図３および図４を参照して説明する。図４は、本実施の形態の音声変換制御工程のフローチャートである。まず、ステップＳ２０１において、前述の音声変換制御手段１０６により、前述の原音音声出力状態を選択するよう原音変換音声選択手段１０５が制御される。ここで、原音音声出力状態にするとは、住戸人の原音の音声信号が原音変換音声選択手段１０５により選択されることをいう。次いで、ステップＳ２０２において、前述の音声変換動作表示手段１１２により、原音音声出力状態が表示される。次いで、ステップＳ２０３において、呼出スイッチ１１５がオンにされたか否かが前述の通話状態検出手段１０４により判断される。呼出スイッチ１１５がオンにされた場合はステップＳ４０１に進み、呼出スイッチ１１５がオンにされていない場合はステップＳ４０３に進む。次いで、ステップＳ４０１において、親機マイクロホン１０７または音声信号記憶手段１１７が音声信号選択手段１１８により選択される。ここで、音声信号記憶手段１１７が選択された場合は、予め記憶されていたメッセージが選択されることとなる。
【００５０】
次いで、ステップＳ４０２において、音声変換通話スイッチ１１６がオンにされたか否かが前述の通話状態検出手段１０４により判断される。音声変換通話スイッチ１１６がオンにされた場合はステップＳ２０６に進み、音声変換通話スイッチ１１６がオンにされていない場合はステップＳ４０４に進む。次いで、ステップＳ２０６において、音声変換制御手段１０６により、変換音声出力状態を選択するよう原音変換音声選択手段１０５が制御される。ここで、変換音声出力状態にするとは、音声変換手段１０３により音声変換された住戸人の音声信号が原音変換音声選択手段１０５により選択されることをいう。次いで、ステップＳ２０７において、音声変換動作表示手段１１２により、変換音声出力状態が表示される。
【００５１】
次いで、ステップＳ２０９において、通話が終了したか否かが通話状態検出手段１０４により判断される。通話が終了したと判断された場合は、ステップＳ２１０に進み、通話が終了していないと判断された場合は、ステップＳ２０９に戻る。ここで、通話の終の判断は、例えば、通話スイッチ１０９がオンからオフになったときを通話の終了と判断するか、または、親機マイクロホン１０７および子機マイクロホン１１３からの音声信号の有無を検出し、予め設定された時間内にどちらかの音声信号があれば通話中と判断し、予め設定された時間内にどちらの音声信号もなければ通話の終了と判断することができる。
【００５２】
次いで、ステップＳ２１０において、変換音声出力状態で通話をした場合は、音声変換制御手段１０６により、原音音声出力状態を選択するよう原音変換音声選択手段１０５が制御される。また、原音音声出力状態で通話をした場合は、音声変換制御手段１０６により、原音音声出力状態を維持するよう原音変換音声選択手段１０５が制御される。次いで、ステップＳ２１１において、音声変換動作表示手段１１２により、原音音声出力状態が表示される。
【００５３】
一方、前述のステップＳ２０３において、呼出スイッチ１１５がオンにされていない場合は、ステップＳ４０３において、音声変換通話スイッチ１１６がオンにされたか否かが通話状態検出手段１０４により判断される。音声変換通話スイッチ１１６がオンにされた場合は、ステップＳ２０１に戻り、音声変換通話スイッチ１１６がオンにされていない場合は、ステップＳ２０３に戻る。
【００５４】
また、前述のステップＳ４０２において、音声変換通話スイッチ１１６がオンにされていない場合はステップＳ４０４に進み、通話スイッチ１０９がオンにされたか否かが前述の通話状態検出手段１０４判断される。通話スイッチ１０９がオンにされた場合は、ステップＳ２０９に進み、通話スイッチ１０９がオンにされていない場合は、ステップＳ４０２に戻る。
【００５５】
ここで、前述したステップと通話状態との関連を説明する。図２に示したステップＳ２０１からステップＳ４０３を経由してステップＳ２０１に戻るループと、ステップＳ２０３からステップＳ４０３を経由してステップＳ２０３まで戻るループは、共に前述の待機状態を表している。また、ステップＳ２０３において呼出スイッチ１１５がオンにされた状態は、前述の着信状態を表している。また、ステップＳ４０２において音声変換通話スイッチ１１６がオンにされ、ステップＳ２０９において通話の終了が検出されるまでは前述の通話状態を表している。また、同様に、ステップＳ４０４において通話スイッチ１０９がオンにされ、ステップＳ２０９において通話の終了が検出されるまでも前述の通話状態を表している。
【００５６】
また、前述のステップＳ２０３、ステップＳ４０２、ステップＳ４０３、ステップＳ４０４およびステップＳ２０９は、通話状態検出手順を表している。また、ステップＳ２０１、ステップＳ２０６およびステップＳ２１０は、原音変換音声選択手順を表している。また、ステップＳ２０２、ステップＳ２０７およびステップＳ２１１は、音声変換動作表示手順を表している。
【００５７】
なお、変換音声出力状態で前述の音声変換スイッチ１１０をオフにし、通話の途中で原音音声出力状態にする構成にしてもよい。
【００５８】
また、前述の音声変換制御工程をプログラミングすることにより、コンピュータに音声変換制御を実行させることができる。
【００５９】
以上のように、本実施の形態のインターホンシステムによれば、住戸人が音声変換が可能な状態にするか否かの選択および住戸人が来訪者と通話をするか否かの選択の何れかを選択する音声変換通話スイッチ１１６と、予めメッセージを記憶する音声信号記憶手段１１７とを備える構成としたので、着信状態から容易に変換音声出力状態にすることができ、また、予め用意したメッセージで来訪者に応答することができる。
【００６０】
（第３の実施の形態）
図５は、本発明の第３の実施の形態のインターホンシステムのブロック図である。図５に示すように、本実施の形態のインターホンシステムは、住戸人が使用する親機１０１が、入力された住戸人の音声信号の周波数を変えて音声変換する音声変換手段１０３と、住戸人および来訪者の通話状態を検出する通話状態検出手段１０４と、住戸人の原音の音声信号および音声変換手段１０３により音声変換された住戸人の変換音声信号の何れかを選択する原音変換音声選択手段１０５と、通話状態に基づいて原音変換音声選択手段１０５を制御する音声変換制御手段１０６と、住戸人の音声を集音し音声信号に変換する親機マイクロホン１０７と、来訪者の音声信号を出力する親機スピーカ１０８と、住戸人が来訪者と通話をするか否かを選択する通話スイッチ１０９と、住戸人が音声変換が可能な状態にするか否かを選択する音声変換スイッチ１１０と、親機１０１と子機１０２との通話を制御する通話制御手段１１１と、原音音声出力状態および変換音声出力状態の何れかを表示する音声変換動作表示手段１１２と、子機１０２が備えたカメラユニット１１９で撮影された映像を表示する映像表示手段１２０とを備え、来訪者が使用する子機１０２が、来訪者の音声を集音し音声信号に変換する子機マイクロホン１１３と、原音変換音声選択手段１０５により選択された住戸人の音声信号を出力する子機スピーカ１１４と、来訪者が住戸人を呼び出す呼出スイッチ１１５と、来訪者を撮影するカメラユニット１１９とを備えている。
【００６１】
なお、前述の通話制御手段１１１は、親機１０１および子機１０２に備えられた各スイッチの状態を検出して、通話制御手段１１１に接続された機器および手段を制御するようになっている。例えば、来訪者により呼出スイッチ１１５がオンにされた場合は、前述の通話制御手段１１１により、親機スピーカ１０８から呼出音が出力されるようになっている。また、前述の通話制御手段１１１は、状態情報を通話状態検出手段１０４に出力するようになっている。ここで、状態情報とは、通話制御手段１１１により取得された各スイッチの状態情報、音声変換動作表示手段１１２の状態情報、親機マイクロホン１０７および子機マイクロホン１１３からの音声信号の状態情報、親機スピーカ１０８および子機スピーカ１１４の音声信号の状態情報等をいう。
【００６２】
また、前述の通話状態検出手段１０４は、前述の通話制御手段１１１からの状態情報に基づいて通話状態を検出するようになっている。ここで通話状態とは、例えば、待機中の待機状態、来訪者が呼出スイッチ１１５により住戸人を呼び出した着信状態、来訪者および住戸人が通話をしている通話状態、来訪者および住戸人の通話が終了した通話終了状態、住戸人の原音の音声が子機スピーカ１１４から出力されている原音音声出力状態および住戸人の変換音声信号が子機スピーカ１１４から出力されている変換音声出力状態等をいう。
【００６３】
ここで、前述の通話状態検出手段１０４が通話状態を検出する具体例を説明する。親機１０１および子機１０２に備えられた各スイッチがオフの状態の場合は、通話状態検出手段１０４が、通話制御手段１１１からの状態情報により、待機状態にあると判断するようになっている。また、呼出スイッチ１１５がオンにされれば、通話状態検出手段１０４が、通話制御手段１１１からの状態情報により、着信状態にあると判断するようになっている。さらに、通話スイッチ１０９がオンにされれば、通話状態検出手段１０４が、通話制御手段１１１からの状態情報により、通話状態にあると判断するようになっている。以上のように、通話状態検出手段１０４は通話制御手段１１１からの状態情報により通話状態を検出し、音声変換制御手段１０６に出力するようになっている。また、前述の音声変換制御手段１０６は、通話状態検出手段１０４で検出された通話状態に基づいて原音変換音声選択手段１０５を後述のように制御するようになっている。
【００６４】
また、前述の音声変換動作表示手段１１２は、ランプによる表示、文字による表示、音声による表示等により原音音声出力状態または変換音声出力状態を表示するようになっている。例えば、ランプによる表示の場合は、ランプの色の変化や点滅等により、または、電源ランプまたは通話ランプ等を備えて色の変化や点滅等により、変換音声出力状態であることを住戸人に知らせることができる。また、文字による表示の場合は、親機１０１にメッセージを表示させる構成とすることにより、変換音声出力状態であることを住戸人に知らせることができる。また、音声による表示の場合は、前述の親機スピーカ１０８から信号音またはメッセージを出力することにより、変換音声出力状態であることを住戸人に知らせることができる。
【００６５】
次に、本実施の形態の動作について、図５および図６を参照して説明する。図６は、本実施の形態の音声変換制御工程のフローチャートである。まず、ステップＳ２０１において、前述の音声変換制御手段１０６により音声変換動作がオフされる。次いで、ステップＳ２０２において、前述の音声変換動作表示手段１１２により音声変換が動作していないことが表示される。次いで、ステップＳ６０１において、前述のカメラユニット１１９が捕らえた映像が映像表示手段１２０に表示される。次いで、ステップＳ２０３において、呼出スイッチ１１５がオンにされたか否かが前述の通話状態検出手段１０４により判断される。呼出スイッチ１１５がオンにされた場合はステップＳ６０２に進み、呼出スイッチ１１５がオンにされていない場合はステップＳ２０５に進む。次いで、ステップＳ６０２において、住戸人が映像表示手段１２０に表示された来訪者の映像を見て来訪者を確認する。次いで、ステップＳ２０４において、音声変換スイッチ１１０がオンにされたか否かが前述の通話状態検出手段１０４により判断される。音声変換スイッチ１１０がオンにされた場合はステップＳ２０６に進み、音声変換スイッチ１１０がオンにされていない場合はステップＳ２０８に進む。次いで、ステップＳ２０６において、音声変換制御手段１０６により、変換音声出力状態を選択するよう原音変換音声選択手段１０５が制御される。ここで、変換音声出力状態にするとは、音声変換手段１０３により音声変換された住戸人の音声信号が原音変換音声選択手段１０５により選択されることをいう。次いで、ステップＳ２０７において、音声変換動作表示手段１１２により、変換音声出力状態が表示される。次いで、ステップＳ２０８において、通話スイッチ１０９がオンにされたか否かが通話状態検出手段１０４により判断される。通話スイッチ１０９がオンにされた場合はステップＳ２０９に進み、通話スイッチ１０９がオンにされていない場合はステップＳ２０８に戻る。次いで、ステップＳ２０９において、通話が終了したか否かが通話状態検出手段１０４により判断される。通話が終了したと判断された場合は、ステップＳ２１０に進み、通話が終了していないと判断された場合は、ステップＳ２０９に戻る。ここで、通話の終了の判断は、例えば、通話スイッチ１０９がオンからオフになったときを通話の終了と判断するか、または、親機マイクロホン１０７および子機マイクロホン１１３からの音声信号の有無を検出し、予め設定された時間内にどちらかの音声信号があれば通話中と判断し、予め設定された時間内にどちらの音声信号もなければ通話の終了と判断することができる。
【００６６】
次いで、ステップＳ２１０において、変換音声出力状態で通話をした場合は、音声変換制御手段１０６により、原音音声出力状態を選択するよう原音変換音声選択手段１０５が制御される。また、原音音声出力状態で通話をした場合は、音声変換制御手段１０６により、原音音声出力状態を維持するよう原音変換音声選択手段１０５が制御される。次いで、ステップＳ２１１において、音声変換動作表示手段１１２により、原音音声出力状態が表示される。
【００６７】
一方、前述のステップＳ２０３において、呼出スイッチ１１５がオンにされていない場合は、ステップＳ２０５において、音声変換スイッチ１１０がオンにされたか否かが通話状態検出手段１０４により判断される。音声変換スイッチ１１０がオンにされた場合は、ステップＳ２０１に戻り、音声変換スイッチ１１０がオンにされていない場合は、ステップＳ２０３に戻る。
【００６８】
ここで、前述したステップと通話状態との関連を説明する。図２に示したステップＳ２０１からステップＳ２０５を経由してステップＳ２０１に戻るループと、ステップＳ２０３からステップＳ２０５を経由してステップＳ２０３まで戻るループは、共に前述の待機状態を表している。また、ステップＳ２０３において呼出スイッチ１１５がオンにされた状態は、前述の着信状態を表している。また、ステップＳ２０８において通話スイッチ１０９がオンにされ、ステップＳ２０９において通話の終了が検出されるまでは前述の通話状態を表している。
【００６９】
また、前述のステップＳ２０３、ステップＳ２０４、ステップＳ２０５、ステップＳ２０８およびステップＳ２０９は、通話状態検出手順を表している。また、ステップＳ２０１、ステップＳ２０６およびステップＳ２１０は、原音変換音声選択手順を表している。また、ステップＳ２０２、ステップＳ２０７およびステップＳ２１１は、音声変換動作表示手順を表している。
【００７０】
なお、変換音声出力状態で前述の音声変換スイッチ１１０をオフにし、通話の途中で原音音声出力状態にする構成にしてもよい。
【００７１】
また、前述の音声変換制御工程をプログラミングすることにより、コンピュータに音声変換制御を実行させることができる。
【００７２】
以上のように、本実施の形態のインターホンシステムによれば、変換音声出力状態が音声変換動作表示手段１１２により表示され、また、住戸人がカメラユニットに捕らえられた来訪者を映像表示装置によりを確認できる構成としたので、住戸人が、原音音声出力状態および変換音声出力状態を容易に確認することができ、また、声だけでなく映像によっても面会するか否かを決定することができる。
【００７３】
（実施の形態４）
本発明の第４の実施の形態のインターホンシステムの構成は、前述の本発明の第１の実施の形態のインターホンシステムの構成と同じであるので、構成の説明は省略する。
【００７４】
次に、本実施の形態の動作について、図１および図７を参照して説明する。図７は、本実施の形態の音声変換制御工程のフローチャートである。まず、ステップＳ７０１において、前述の音声変換制御手段１０６により、前述の変換音声出力状態を選択するよう原音変換音声選択手段１０５が制御される。ここで、変換音声出力状態にするとは、音声変換手段１０３により音声変換された住戸人の音声信号が原音変換音声選択手段１０５により選択されることをいう。次いで、ステップＳ７０２において、前述の音声変換動作表示手段１１２により、変換音声出力状態が表示される。次いで、ステップＳ２０３において、呼出スイッチ１１５がオンにされたか否かが前述の通話状態検出手段１０４により判断される。呼出スイッチ１１５がオンにされた場合はステップＳ７０３に進み、呼出スイッチ１１５がオンにされていない場合はステップＳ７０４に進む。次いで、ステップＳ７０３において、音声変換スイッチ１１０がオフにされたか否かが前述の通話状態検出手段１０４により判断される。音声変換スイッチ１１０がオフにされた場合はステップＳ７０５に進み、音声変換スイッチ１１０がオフにされていない場合はステップＳ２０８に進む。次いで、ステップＳ７０５において、前述の原音音声出力状態を選択するよう原音変換音声選択手段１０５が制御される。ここで、原音音声出力状態にするとは、住戸人の原音の音声信号が原音変換音声選択手段１０５により選択されることをいう。次いで、ステップＳ２０８において、通話スイッチ１０９がオンにされたか否かが通話状態検出手段１０４により判断される。通話スイッチ１０９がオンにされた場合はステップＳ２０９に進み、通話スイッチ１０９がオンにされていない場合はステップＳ２０８に戻る。次いで、ステップＳ２０９において、通話が終了したか否かが通話状態検出手段１０４により判断される。通話が終了したと判断された場合は、ステップＳ７０７に進み、通話が終了していないと判断された場合は、ステップＳ２０９に戻る。ここで、通話の終了の判断は、例えば、通話スイッチ１０９がオンからオフになったときを通話の終了と判断するか、または、親機マイクロホン１０７および子機マイクロホン１１３からの音声信号の有無を検出し、予め設定された時間内にどちらかの音声信号があれば通話中と判断し、予め設定された時間内にどちらの音声信号もなければ通話の終了と判断することができる。
【００７５】
次いで、ステップＳ７０７において、原音音声出力状態で通話をした場合は、音声変換制御手段１０６により、変換音声出力状態を選択するよう原音変換音声選択手段１０５が制御される。また、変換音声出力状態で通話をした場合は音声変換制御手段１０６により変換音声出力状態を維持するよう原音変換音声選択手段１０５が制御される。次いで、ステップＳ７０８において、音声変換動作表示手段１１２により変換音声出力状態が表示される。
【００７６】
一方、前述のステップＳ２０３において、呼出スイッチ１１５がオンにされていない場合は、ステップＳ７０４において、音声変換スイッチ１１０がオフにされたか否かが通話状態検出手段１０４により判断される。音声変換スイッチ１１０がオフにされた場合は、ステップＳ７０１に戻り、音声変換スイッチ１１０がオフにされていない場合は、ステップＳ２０３に戻る。
【００７７】
ここで、前述したステップと通話状態との関連を説明する。図７に示したステップＳ７０１からＳ７０４を経由してステップＳ４０１に戻るループと、ステップＳ２０３からステップＳ７０４を経由してステップＳ２０３まで戻るループは、共に前述の待機状態を表している。また、ステップＳ２０３において呼出スイッチ１１５がオンにされた状態は、前述の着信状態を表している。また、ステップＳ２０８において通話スイッチ１０９がオンにされ、ステップＳ２０９において通話の終了が検出されるまでは前述の通話状態を表している。
【００７８】
また、前述のステップＳ２０３、ステップＳ７０３、ステップＳ７０４、ステップＳ２０８およびステップＳ２０９は、通話状態検出手順を表している。また、ステップＳ７０１、ステップＳ７０５およびステップＳ７０７は、原音変換音声選択手順を表している。また、ステップＳ７０２、ステップＳ７０６およびステップＳ７０８は、音声変換動作表示手順を表している。
【００７９】
なお、原音音声出力状態で前述の音声変換スイッチ１１０をオフにし、通話の途中で変換音声出力状態にする構成にしてもよい。
【００８０】
また、前述の音声変換制御工程をプログラミングすることにより、コンピュータに音声変換制御を実行させることができる。
【００８１】
以上のように、本実施の形態のインターホンシステムによれば、変換音声出力状態が音声変換動作表示手段１１２により表示され、また、住戸人が常に変換音声出力状態を選択できる構成としたので、住戸人が、原音音声出力状態および変換音声出力状態を容易に確認することができ、また、住戸人が常に変換音声出力状態で通話をしたい場合でも、通話の度に変換音声出力状態に変更することなく通話を行うことができる。
【００８２】
【発明の効果】
以上説明したように、本発明によれば、前記音声変換制御手段が、前記通話状態に基づいて前記住戸人の原音の音声信号および前記住戸人の変換音声信号の何れかを選択し、更に、前記音声変換スイッチにより前記住戸人が前記来訪者と通話をするか否かを選択する構成にしたので、住居人が着信状態から容易に変換音声出力状態にすることができる。
【図面の簡単な説明】
【図１】本発明の第１の実施の形態のインターホンシステムのブロック図
【図２】本発明の第１の実施の形態の音声変換制御工程のフローチャート
【図３】本発明の第２の実施の形態のインターホンシステムのブロック図
【図４】本発明の第２の実施の形態の音声変換制御工程のフローチャート
【図５】本発明の第３の実施の形態のインターホンシステムのブロック図
【図６】本発明の第３の実施の形態の音声変換制御工程のフローチャート
【図７】本発明の第４の実施の形態の音声変換制御工程のフローチャート
【図８】従来のインターホンシステムのブロック図
【符号の説明】
１  親機
２  子機
３  親機マイクロホン
４  親機スピーカ
５  音声変換回路
６  音声変換スイッチ
７  信号選択回路
８  制御回路
９  呼出スイッチ
１０  子機マイクロホン
１１  子機スピーカ
１０１  親機
１０２  子機
１０３  音声変換手段
１０４  通話状態検出手段
１０５  原音変換音声選択手段
１０６  音声変換制御手段
１０７  親機マイクロホン
１０８  親機スピーカ
１０９  通話スイッチ
１１０  音声変換スイッチ
１１１  通話制御手段
１１２  音声変換動作表示手段
１１３  子機マイクロホン
１１４  子機スピーカ
１１５  呼出スイッチ
１１６  音声変換通話スイッチ
１１７  音声信号記憶手段
１１８  音声信号選択手段
１１９  カメラユニット
１２０  映像表示手段
【図１】
0003867850.tif 000002
【図２】
0003867850.tif 000003
【図３】
0003867850.tif 000004
【図４】
0003867850.tif 000005
【図５】
0003867850.tif 000006
【図６】
0003867850.tif 000007
【図７】
0003867850.tif 000008
【図８】
0003867850.tif 000009